(57)【要約】【課題】バヨネット式の撮像装置においても、片手でレンズ着脱を可能とすること。【解決手段】バヨネット爪部を備えた交換レンズの当て面と当接するマウント面と、前記バヨネット爪部に係合する爪部と、前記マウント面から突出し、前記マウント面に対して垂直方向に移動可能であるとともに、前記交換レンズが前記マウント部に装着された状態において、前記交換レンズに設けられた凹部と係合するピンと、前記ピンを突出方向に付勢する為の弾性部材と、前記ピンを前記マウント面に対して垂直方向に移動させる為の操作部材とを有するマウント部において、前記操作部材は前記ピンを前記マウント面に対して垂直方向に移動させる為の第一の方向と、前記第一の方向に移動した後更に、前記第一の方向に対して垂直な第二の方向に移動可能である。【選択図】図１２
2017138437.tif 000002
【特許請求の範囲】
【請求項１】
バヨネット爪部を備えた交換レンズの当て面と当接するマウント面と、前記バヨネット爪部に係合する爪部と、前記マウント面から突出し、前記マウント面に対して垂直方向に移動可能であるとともに、前記交換レンズが前記マウント部に装着された状態において、前記交換レンズに設けられた凹部と係合するピンと、前記ピンを突出方向に付勢する為の弾性部材と、前記ピンを前記マウント面に対して垂直方向に移動させる為の操作部材とを有するマウント部において、前記操作部材は前記ピンを前記マウント面に対して垂直方向に移動させる為の第一の方向と、前記第一の方向に移動した後更に、前記第一の方向に対して垂直な第二の方向に移動可能であることを特徴とする撮像装置。
【請求項２】
前記操作部材は前記マウント面に対して垂直な外周方向に配置されるとともに、前記第一の方向は前記マウント面の径方向であり、前記第二の方向は前記マウント面の周方向であることを特徴とする請求項１に記載の撮像装置。
【請求項３】
前記操作部材において、前記第二の方向に移動可能な距離は、前記ピンの直径よりも大きいことを特徴とする請求項１又は請求項２に記載の撮像装置。
【発明の詳細な説明】
【技術分野】
【０００１】
本発明は、レンズ交換式の撮像装置において、レンズリリーススイッチの構造に関する。
【背景技術】
【０００２】
近年、レンズ交換式の撮像装置は市場において増加し続けており、レンズ交換方式の一つである、バヨネット式レンズマウントを採用した撮像装置本体及びレンズもまた数多く市場に出回っている。また、これまではどちらかと言えば大型の撮像装置において採用されることが多かった交換レンズ方式だが、昨今では小型且つレンズ交換方式の撮像装置もみられるようになってきた。
【０００３】
小型レンズ交換式撮像装置の場合、機動力や撮りまわしの利便性といった要素が重要視される。例えば一般的なレンズ交換式の撮像装置の場合、交換レンズを取り外す為の操作釦が本体前面にあることが多い。しかし、この場合レンズ交換時には図１４に示すように本体９５１を持ちかえて、両手を用いなければ交換レンズ９５２を外すことが出来ない。
【０００４】
特許文献１では、上記問題を解決し、本体のグリップ部を握ったまま持ち換えることなく、もう片方の手でレンズの着脱が可能とすることにより、利便性を高めている。
【先行技術文献】
【特許文献】
【０００５】
【特許文献１】特開２０１２−６３７７８号公報
【発明の概要】
【発明が解決しようとする課題】
【０００６】
しかしながら、上記従来例においては、レンズユニットを側方から取り外す方式の為、通常のバヨネット式のレンズ交換撮像装置においては適用することが出来なかった。
【０００７】
本発明は、これを省み、バヨネット式のレンズ交換撮像装置においても、片手でレンズ着脱が可能な撮像装置を提供することを目的とする。
【課題を解決するための手段】
【０００８】
上記の目的を達成するために、本発明に係る撮像装置は、
バヨネット爪部を備えた交換レンズの当て面と当接するマウント面と、前記バヨネット爪部に係合する爪部と、前記マウント面から突出し、前記マウント面に対して垂直方向に移動可能であるとともに、前記交換レンズが前記マウント部に装着された状態において、前記交換レンズに設けられた凹部と係合するピンと、前記ピンを突出方向に付勢する為の弾性部材と、前記ピンを前記マウント面に対して垂直方向に移動させる為の操作部材とを有するマウント部において、前記操作部材は前記ピンを前記マウント面に対して垂直方向に移動させる為の第一の方向と、前記第一の方向に移動した後更に、前記第一の方向に対して垂直な第二の方向に移動可能であることを特徴とする。
【０００９】
また、本発明の他の特徴とするところは、前記操作部材は前記マウント面に対して垂直な外周方向に配置されるとともに、前記第一の方向は前記マウント面の径方向であり、前記第二の方向は前記マウント面の周方向であることにある。
【００１０】
また、本発明のその他の特徴とするところは、前記交換レンズには更に凹部が設けられ、前記交換レンズが前記マウント部に装着された状態において、前記凹部と前記ピンが係合することにある。
【００１１】
また、本発明のその他の特徴とするところは、前記操作部材において、前記第二の方向に移動可能な距離は、前記ピンの直径よりも大きいことにある。
【発明の効果】
【００１２】
本発明によれば、片方の手はグリップ部を握ったまま、もう片方の手だけでレンズ着脱が可能なレンズ交換式撮像装置を提供することが可能となる。
【図面の簡単な説明】
【００１３】
【図１】本発明の実施形態に係るカメラシステムの外観斜視図
【図２ａ】本発明の実施形態に係るレンズマウントの分解斜視図
【図２ｂ】本発明の実施形態に係るレンズマウントの分解斜視図
【図２ｃ】本発明の実施形態に係るレンズマウントの組み立て図
【図３】本発明の実施形態に係る可動部材の斜視図
【図４】本発明の実施形態に係る操作釦の斜視図
【図５】本発明の実施形態に係る可動部材の取りつけ図
【図６ａ】本発明の実施形態に係る操作釦と外観カバーの関係図
【図６ｂ】本発明の実施形態に係る操作釦と外観カバーの関係図
【図６ｃ】本発明の実施形態に係る操作釦と外観カバーの関係図
【図６ｄ】本発明の実施形態に係る操作釦と外観カバーの関係図
【図７ａ】本発明の実施形態に係るレンズマウントに交換レンズを組み付ける前の図
【図７ｂ】本発明の実施形態に係るレンズマウントに交換レンズを組み付ける前の図
【図８ａ】本発明の実施形態に係るレンズマウントに交換レンズを組み付けた図
【図８ｂ】図８ａの側面から見た部分拡大図
【図８ｃ】図８ａの部分断面図
【図９ａ】本発明の実施形態に係るレンズマウントに交換レンズを組み付けた図
【図９ｂ】図９ａの側面から見た部分拡大図
【図９ｃ】図９ａの部分断面図
【図１０】図９ｃの状態より、操作釦を押した後の図
【図１１ａ】図１０の状態より、操作釦をスライドした後の図
【図１１ｂ】図１１の状態における外観斜視図
【図１２】撮像装置における、交換レンズ取り外し手順を示した図
【図１３】撮像装置における、交換レンズ取り外し手順を示した図
【図１４】従来のレンズ交換式撮像装置における、レンズ取り外し例を示した図
【発明を実施するための形態】
【００１４】
以下、本発明の実施例について、図面を参照しながら詳細に説明する。各図において、同一の部材については同一の参照番号を付し、重複する説明は省略する。
【００１５】
図１は本発明の実施形態に係るレンズマウントユニット２００を備える撮像装置本体１００に、交換レンズ２５０を取り付けてなるカメラシステムの外観斜視図である。また図２ａ、図２ｂは本発明の実施例に係るレンズマウントユニット２００の分解斜視図であり、図２ｃはレンズマウントユニット２００の組み立て図である。更に図３、図４はそれぞれ可動部材２１４及び操作釦２０６の単品斜視図であり、図５はフロントベース２０４に可動部材２１４を組み付けた状態を示している。
【００１６】
フロントベース２０４にはレンズマウント２０１がボス２１１ａ〜２１１ｄと接するように取り付けられる。ビス８０１ａ〜８０１ｄは上述のレンズマウント２０１取付用のビスであり、レンズマウント２０１に設けられたビス穴２３６ａ〜２３６ｄを通ってボス２１１ａ〜２１１ｄに対してねじ留めされる。マウントバネ２０２はレンズマウント２０１とフロントベース２０４に挟まれるように配置され、交換レンズ２５０が装着された時に、交換レンズ２５０をーＺ方向に付勢してガタつきを抑える役割を果たす。尚、レンズマウント２０１には、交換レンズ２５０を装着する時に、取付向きの目印となるマウント指標２３４が設けられている。
【００１７】
コイルばね２０８はフロントベース２０４に設けられたばね収納部２１２に収納された状態で、可動部材２１４のばね当て面２１５をプリチャージし、可動部材２１４をＺ方向に付勢する。この付勢力により、可動部材２１４は組み状態において、突き当て面２１９がレンズマウント裏面２０１ｂに突き当たるとともに、可動部材２１４に設けられたレンズリリースピン２０３がレンズマウント２０１の貫通穴２２５を貫通して突出する。
【００１８】
更に可動部材２１４には図３に示すようにテーパ部２１６が設けられており、このテーパ部２１６は突き当て面２１９を基準としてＸ方向に、且つ突き当て面２１９に対して垂直な側面２２３を基準として−Ｙ方向に下る向きに傾斜している。また図５に示すように摺動リブ２１７ａ，２１７ｂがフロントベース２０４に設けられた当てリブ２１８ａ〜２１８ｇと勘合することにより、可動部材２１４のＸ軸方向及び、Ｙ軸方向へのガタつきが規制される。
【００１９】
操作釦２０６には図４に示すように、直径がＬ１である軸部２２８と、軸部２２８の一部が切り欠かれて細くなり、その部分の寸法がＬ１‘であるスライド軸部２２９、可動部材２１４のテーパ部２１６との接触面となる突起部２３０、及び溝部２３１が設けられている。
【００２０】
図２ａに示すように、操作釦２０６は外装カバー２０５に設けられた囲いリブ２０９の中に取りつけられた後、抜け止め部材２０７を溝部２３１に嵌めることによって、外装カバー２０５からの脱落を防止している。
【００２１】
次に図６ａ〜図６ｄを用いて、操作釦２０６の各状態における外装カバー２０５との関係について説明する。
【００２２】
図６ａは操作釦２０６を外装カバー２０５に組み付ける前の状態を示している。
【００２３】
図６ａに示すように、外装カバー２０５に設けられたガイド穴２２６は直径がＬ２である円形穴２２６ａと、幅がＬ２‘である角穴２２６ｂが合わさった形状をしており、図４で示した操作釦２０６の軸部２２８、スライド軸部２２９との寸法関係を表すと、Ｌ１‘＜Ｌ２‘＜Ｌ１＜Ｌ２となる。すなわち、角穴２２６ｂに対してはスライド軸部２２９のみ通り抜け可能で、軸部２２８は通り抜けることが出来ない。
【００２４】
操作釦２０６が組み付けられた状態においては図６ｂに示すように円形穴２２６ａと軸部２２８が勘合している。この状態の時には、上述の寸法関係により、操作釦２０６はＹ方向に移動することは出来ず、―Ｘ方向のみ移動可能である。
【００２５】
図６ｃは図６ｂの状態から、操作釦２０６をーＸ方向に押しこんだ状態である。
【００２６】
この時は円形穴２２６ａの位置にあるのはスライド軸部２２９である為、上述の寸法関係より操作釦２０６はＸ方向、Ｙ方向いずれにも移動することが可能となる。
【００２７】
図６ｄは図６ｃから操作釦２０６をＹ方向に移動させた後の状態である。
【００２８】
この状態では操作釦２０６は同様に上述の寸法関係よりＸ方向への移動はできず、−Ｙ方向にのみ移動可能となる。
【００２９】
次に、レンズマウント２０１に交換レンズ２５０を取り付ける際の詳細について説明する。但し、説明の簡略化の為、各図においては説明を行う上でレンズマウントユニット２００における必要な要部のみ示してある。まず、本発明の実施例におけるレンズマウント２０１はバヨネット構造となっている。
【００３０】
図７ａ、図７ｂはレンズマウント２０１に交換レンズ２５０を取り付ける前の状態を示した図である。
【００３１】
交換レンズ２５０には、レンズマウント表面２０１ａに対する当て面となるレンズ当て面２３２と、レンズリリースピン２０３当て面となるピン当て面２３５、勘合部となるレンズ勘合部２２２ａ〜２２２ｃ、取付時の目印となるレンズ指標２３３及びレンズリリースピン２０３が嵌り込んで交換レンズ２５０の位相を規制する為の凹部２２４がある。対するレンズマウント２０１側にも上述のレンズ勘合部２２２ａ〜２２２ｃに対応するマウント勘合部２２０ａ〜２２０ｆが設けられている。
【００３２】
交換レンズ２５０をレンズマウント２０１に対して取り付ける際には、まずレンズ指標２３３とマウント指標２３４を目印として、レンズ勘合部２２２ａ〜２２２ｃとマウント勘合部２２０ａ〜２２０ｆがＺ軸上で投影上被らないように位相を合わせて矢印の方向（―Ｚ方向）に交換レンズ２５０を押しこむ必要がある。図８ａは交換レンズ２５０のレンズ当て面２３２をレンズマウント表面２０１ａに当たるまで押しこんだ状態を、―Ｚ方向から見た図である。また図８ｂは図８ａをＡ方向から見た部分拡大図であり、図８ｃは図８ａのＭ−Ｍ断面図である。
【００３３】
この時、図８ｂに示すように、レンズ勘合部２２２ｂはマウント勘合部２２０ｆよりもーＺ側に位置している。尚、図示はしないがレンズ勘合部２２２ａ、２２２ｃに関しても同様の関係となっている。また、図８ｃに示すように、レンズリリースピン２０３はピン当て面２３５によってーＺ方向に押し下げられている。尚、操作釦２０６の溝部２３１には前述したように抜け止め部材２０７が嵌っている。本実施例では抜け止め部材２０７は一般的なＥリングを用いており、このＥリングは円形穴２２６ａの面積より大きい為、操作釦２０６が図８ｃの状態より更にＸ方向に移動することは無い。
【００３４】
図９ａは図８ａの状態から、レンズリリースピン２０３と凹部２２４が投影上重なるまで交換レンズ２５０をα方向に回転させた状態を示している。また図９ｂは図９ａをＢ方向から見た部分拡大図であり、図９ｃは図９ａのＮ−Ｎ断面図である。
【００３５】
図９ａ、図９ｂに示すように、交換レンズ２５０を回転させたことにより、レンズ勘合部２２２ａ〜２２２ｃがマウント勘合部２２０ａ〜２２０ｆに投影上被り、両者が勘合している。また図９ｃに示すように、レンズリリースピン２０３は交換レンズ２５０の凹部２２４に嵌り込んだ状態である為、交換レンズ２５０はレンズマウント２０１に対して回転できないようになっており、これによりレンズマウント２０１に対する交換レンズ２５０の位相が決まる。以上がレンズマウント２０１への、交換レンズ２５０の装着手順である。
【００３６】
次に、操作釦２０６を操作した時の可動部材２１４の詳細な動きについて説明する。まず、レンズマウント２０１に交換レンズ２５０が装着された図９ｃの状態では、コイルばね２０８によるＺ方向の付勢力が、可動部材２１４のテーパ部２１６を通じて操作釦２０６の突起部２３０へと伝わり、結果として操作釦２０６はテーパ部２１６の向きに沿って＋Ｘ方向且つーＹ方向（紙面奥側方向）に付勢された状態で保持されている。
【００３７】
図１０は図９ｃの状態から操作釦２０６を外装カバー２０５に設けられたスイッチ座面２１０に突き当たるまで押しこんだ状態である。
【００３８】
この時、操作釦２０６に加えられたーＸ方向の力が突起部２３０を通じて可動部材２１４のテーパ部２１６へと伝わり、結果として可動部材２１４はーＹ方向に押し下げられるとともに、レンズリリースピン２０３はレンズマウント表面２０１ａよりも引っ込んだ状態となる。すなわち、図１０の状態では交換レンズ２５０はレンズマウント２０１に対して回転可能である。
【００３９】
図１１ａは図１０の状態から操作釦２０６を＋Ｙ方向に移動させた状態である。また、図１１ｂは図１１ａの状態における外観側の斜視図である。
【００４０】
図１１ａ、図１１ｂの状態では操作釦２０６は囲いリブ２０９のリブ側面２０９ａに突き当たっており、レンズリリースピン２０３はテーパ部２１６がＹ方向に傾斜している分だけ、更にーＺ方向に押し下げられる。但し、この時操作釦２０６がＹ方向に移動可能な距離Ｌ３はレンズリリースピン２０３の直よりも大きい。理由は後述する。
【００４１】
尚、図１１ａの状態において、操作釦２０６から指を離すと、操作釦２０６は前述のテーパ部２１６より受けるコイルばね２０８の力により、ーＹ方向に移動して図１０状態まで戻ったのち、同じくテーパ部２１６より受けるＸ方向の力によって図９示す元の位置まで自動的に戻る。
【００４２】
最後に、本発明を適用した撮像装置本体１００を用いた、交換レンズ２５０の取り外し操作について説明する。撮影者の状態としては、右手はグリップを握ったまま、左手のみを用いて交換レンズ２５０は撮像装置本体１００本体より外す動作を想定する。
【００４３】
まず、図１２のように、左手で交換レンズ２５０と操作釦２０６を同時に掴み、操作釦２０６を押しこむ。この状態では、交換レンズ２５０がβ方向に回転可能であるとともに、操作釦２０６の方もβ方向に対して接線となるＹ方向にスライド可能である。
【００４４】
次に、操作釦２０６をスライドさせながら、交換レンズ２５０をβ方向に回転させる。すると、前述したように操作釦２０６がＹ方向に移動可能な距離がレンズリリースピン２０３の直径よりも大きい為、操作釦２０６が囲いリブ２０９の端まで移動すると、交換レンズ２５０も同じだけβ方向に回転し、レンズリリースピン２０３が凹部２２４より外れた状態となる。よって操作釦２０６より指を離し、交換レンズ２５０のみを掴んで回転可能となる。最後に操作釦２０６から指を離し、図１３のように交換レンズ２５０だけを握って回転させることで、撮像装置本体１００から交換レンズ２５０をＺ方向に外すことが可能となる。
【００４５】
以上、実施例で説明したように、本発明を適用することにより、バヨネット式の撮像装置においても、片手でレンズ着脱が可能となり、グリップを握る手を離していちいち撮像装置本体を持ちかえて交換レンズを外すような手間が無くなる為、撮影時の利便性が向上する。
【００４６】
尚、本実施例においては、操作釦２０６のスライド時の移動可能量はレンズリリースピン２０３直径と同程度の短距離移動とした為、操作釦２０６のスライドはＹ方向への直線移動として記載したが、β方向、すなわち円弧軌道に沿ったスライドが可能な構成であれば、より自然に交換レンズ２５０と操作釦２０６を同時に回転動作させることが可能である。
【００４７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４８】
１００  撮像装置本体、２００  レンズマウントユニット、２０１  レンズマウント、
２０１ａ  レンズマウント表面、２０１ｂ  レンズマウント裏面、
２０２  マウントバネ、２０３  レンズリリースピン、２０４  フロントベース、
２０５  外装カバー、２０６  操作釦、２０７  抜け止め部材、２０８  コイルばね、
２０９  囲いリブ、２０９ａ  リブ側面、２１０  スイッチ座面、
２１１ａ〜２１１ｄ  ボス、２１２  ばね収納部、２１４  可動部材、
２１５  ばね当て面、２１６  テーパ部、２１７ａ，２１７ｂ  摺動リブ、
２１８ａ〜２１８ｇ  当てリブ、２１９  突き当て面、
２２０ａ〜２２０ｆ  マウント勘合部、２２１ａ〜２２１ｃ  弾性部、
２２２ａ〜２２２ｃ  レンズ勘合部、２２３  側面、２２４  凹部、２２５  貫通穴、
２２６  ガイド穴、２２６ａ  円形穴、２２６ｂ  角穴、２２８  軸部、
２２９  スライド軸部、２３０  突起部、２３１  溝部、２３２  レンズ当て面、
２３３  レンズ指標、２３４  マウント指標、２３５  ピン当て面、
２３６ａ〜２３６ｄ  ビス穴、２５０  交換レンズ、８０１ａ〜８０１ｄ  ビス、
９０１  光軸、９５１  本体、９５２  交換レンズ
【図１】
2017138437.tif 000003
【図２ａ】
2017138437.tif 000004
【図２ｂ】
2017138437.tif 000005
【図２ｃ】
2017138437.tif 000006
【図３】
2017138437.tif 000007
【図４】
2017138437.tif 000008
【図５】
2017138437.tif 000009
【図６ａ】
2017138437.tif 000010
【図６ｂ】
2017138437.tif 000011
【図６ｃ】
2017138437.tif 000012
【図６ｄ】
2017138437.tif 000013
【図７ａ】
2017138437.tif 000014
【図７ｂ】
2017138437.tif 000015
【図８ａ】
2017138437.tif 000016
【図８ｂ】
2017138437.tif 000017
【図８ｃ】
2017138437.tif 000018
【図９ａ】
2017138437.tif 000019
【図９ｂ】
2017138437.tif 000020
【図９ｃ】
2017138437.tif 000021
【図１０】
2017138437.tif 000022
【図１１ａ】
2017138437.tif 000023
【図１１ｂ】
2017138437.tif 000024
【図１２】
2017138437.tif 000025
【図１３】
2017138437.tif 000026
【図１４】
2017138437.tif 000027